(57)【要約】      （修正有）【課題】灰皿の撤去後の穴を塞ぐプレートに新たな価値を付加することで、店舗の雰囲気を削ぐことなく、店舗デザイン、および遊技者の利便性が向上されるパチンコ島の膳板に取り付けるプレートを提供する。【解決手段】プレート１６は、裏面の外周縁部１８に一体で区画壁１９を形成し、裏面に両面接着テープを貼り付け、接着テープの厚みを、膳板との接着面が区画壁の下縁と略同一、もしくは、区画壁の下縁から僅か突出するようにし、プレートを膳板の上面に取り付けるにあたり、区画壁が、灰皿の取付穴および取付のネジ穴、もしくは接着跡などを覆い隠すとともに、膳板の上面に密着して堅固に取り付けられる。またプレートの上面に各種情報もしくは各種情報の検索手段を印刷、もしくは、印刷したシール２２を貼り付ける。【選択図】図８
0003225807.tif 000002
【実用新案登録請求の範囲】
【請求項１】
パチンコ島の膳板に取り付けられていた灰皿を撤去した後に露出する、灰皿の取付穴を塞ぐプレートであり、
該プレートは、
裏面の外周縁部に一体で区画壁を形成し、且つプレートの裏面に両面接着テープを貼り付け、
両面接着テープの厚みを、膳板との接着面が区画壁の下縁と略同一、もしくは、区画壁の下縁から僅か突出するようにし、
他方、該プレートを、灰皿の取付穴を塞いで膳板の上面に取り付けるにあたり、
前記区画壁が、膳板上面の灰皿の取付穴および取付のネジ穴、もしくは接着跡などを覆い隠すとともに、
灰皿の取付穴および取付のネジ穴の穴縁のバリ、もしくは接着跡などの凸部が、両面接着テープの接着面の内部に侵入、または、両面接着テープの弾性によって当接個所のみが持ち上げられ、その他の接着面は平坦面が維持されて、
当該プレートが膳板の上面に密着して堅固に取り付けられることを特徴とする、パチンコ島の膳板に取り付けるプレート。
【請求項２】
前記のプレートは、
区画壁の角部をテーパー面としたことを特徴とする、前記請求項１に記載のパチンコ島の膳板に取り付けるプレート。
【請求項３】
前記のプレートは、
上面に各種情報もしくは各種情報の検索手段を印刷、もしくは、印刷したシールを貼り付けてなることを特徴とする、前記請求項１と、請求項２に記載のパチンコ島の膳板に取り付けるプレート。
【請求項４】
前記のプレートは、
上面に各種情報もしくは各種情報の検索手段を印刷した、接着と剥離が可能な再剥離シールを貼り付けて、各種情報もしくは、各種情報の検索手段の表示を交換できるようにしたことを特徴とする、前記請求項１と、請求項２に記載のパチンコ島の膳板に取り付けるプレート。
【請求項５】
前記のプレートは、
上面の中央部を水平に窪ませて、飲料カップや飲料缶の転倒を防止するホルダー面を形成し、
且つ、前記区画壁とホルダー面の立ち上がり壁との内側のホルダー面の裏面に、両面接着テープを貼りつけ、
該両面接着テープの厚みを、膳板との接着面が区画壁の下縁と略同一、もしくは、区画壁の下縁から僅か突出するようにしたことを特徴とする、前記請求項１と、請求項２に記載のパチンコ島の膳板に取り付けるプレート。
【請求項６】
前記のプレートのホルダー面に、
各種情報もしくは各種情報の検索手段を印刷したシールを貼り付けてなることを特徴とする、前記請求項５に記載のパチンコ島の膳板に取り付けるプレート。
【請求項７】
パチンコ島の膳板に取り付けられていた灰皿を撤去した後に露出する、灰皿の取付穴を塞ぐプレートであり、
該プレートは、
裏面の外周縁部に一体で区画壁を形成するとともに、
上面の中央部を水平に窪ませてホルダー面を形成し、
また、ホルダー面の裏面と、区画壁の下縁の高さを略同一として、区画壁とホルダー面の立ち上がり壁との内側に接着剤の溜部を形成し、
ホルダー面の裏面を膳板の上面に接着剤で接着するにあたり、
ホルダー面の裏面と膳板の上面の間からはみ出した接着剤が溜部に溜ってプレートの外にはみ出さないようにしたことを特徴とする、パチンコ島の膳板に取り付けるプレート。
【請求項８】
パチンコ島の膳板に取り付けられている灰皿を塞ぐプレートであり、
該プレートは、
裏面の外周縁部に一体で区画壁を形成し、
該区画壁で、膳板に取り付けられている灰皿を跨いで灰皿を覆い隠し、
且つ、プレートの裏面を、灰皿の鍔部上面に接着したことを特徴とする、パチンコ島の膳板に取り付けるプレート。
【考案の詳細な説明】
【技術分野】
【０００１】  この考案は、パチンコ島の膳板に取り付けるプレートに関する。
【背景技術】
【０００２】  パチンコ店では、煙草の吸殻を回収する装置がパチンコ島に設置されている。
而して、当該装置を撤去して、その後に同様な装置を設置しない場合、この専用の灰皿も撤去されるので、灰皿が取り付けられていた膳板（パチンコ台の下部前面の台）には灰皿の取付穴と、さらに、ネジで取り付けられている場合はネジ穴が、また、接着剤で取付けられている場合は、固化した接着剤の跡が残るので、このまま放置できないために何らかの処置が必要となる。
【先行技術文献】
【実用新案登録文献】
【０００３】
【実用新案登録文献１】
実登３０９１８９３号
【考案の概要】
【考案が解決しようとする課題】  実用新案登録文献１は、前述の吸殻回収装置の灰皿を示し、さらに、この灰皿を膳板に取り付ける実施例を示している。
当該灰皿を膳板に取り付けるには、膳板に灰皿の取付穴を穿けて、この取付穴に灰皿の本体を嵌め、ネジ止めや接着などの手段で固定している。
従って、灰皿が撤去された膳板の上面には、この灰皿の取付穴および、ネジ止めのネジ穴もしくは固化した接着剤の跡が露出するので、これらを解決する必要がある。
一方、膳板の外側の金属板を張り替えれば上記の問題が解決されるが、これは内装を変えることに匹敵するような大掛かりな工事となり、この費用も多大となるので、他の手段が求められている。
また、膳板に貼られている金属板を交換せずに、灰皿の取付穴およびネジ止めのネジ穴、もしくは固化した接着剤の跡を、プレートで覆って接着する手段が考慮できる。
而して、灰皿の取付穴やネジ穴の穴縁には、穴あけ加工時のバリが立ち上がり、また、灰皿が接着剤で接着されている場合は、固化した接着剤が凸状に残っているので、上記の工事には、これらを取り除く追加の工事が必要であった。
また、上記手段で取付穴等を塞いだだけでは、単なる補修の域を出ることがなく、他方、高額な資金をかけて入念に創った店舗デザインとの調和に欠ける懸念もあった。
【課題を解決ための手段】
【０００４】  前記課題を解決するため、この考案のパチンコ島の膳板に取り付けるプレートは、
パチンコ島の膳板に取り付けられていた灰皿を撤去した後に露出する、灰皿の取付穴を塞ぐプレートであり、該プレートは、裏面の外周縁部に一体で区画壁を形成し、且つプレートの裏面に両面接着テープを貼り付け、両面接着テープの厚みを、膳板との接着面が区画壁の下縁と略同一、もしくは、区画壁の下縁から僅か突出するようにし、他方、該プレートを、灰皿の取付穴を塞いで膳板の上面に取り付けるにあたり、前記区画壁が、膳板上面の灰皿の取付穴および取付のネジ穴、もしくは接着跡などを覆い隠すとともに、灰皿の取付穴および取付のネジ穴の穴縁のバリ、もしくは接着跡などの凸部が、両面接着テープの接着面の内部に侵入、または、両面接着テープの弾性によって当接個所のみが持ち上げられ、その他の接着面は平坦面が維持されて、当該プレートが膳板の上面に密着して堅固に取り付けられようにした。
【０００５】  前記のプレートは、区画壁の角部をテーパー面とした。
【０００６】  前記のプレートは、上面に各種情報もしくは各種情報の検索手段を印刷、もしくは、印刷したシールを貼り付けるようにした。
【０００７】  前記のプレートは、上面に各種情報もしくは各種情報の検索手段を印刷した、接着と剥離が可能な再剥離シールを貼り付けて、各種情報もしくは、各種情報の検索手段の表示を交換できるようにした。
【０００８】  前記のプレートは、
上面の中央部を水平に窪ませて、飲料カップや飲料缶の転倒を防止するホルダー面を形成し、且つ、前記区画壁とホルダー面の立ち上がり壁との内側のホルダー面の裏面に、両面接着テープを貼りつけ、該両面接着テープの厚みを、膳板との接着面が区画壁の下縁と略同一、もしくは、区画壁の下縁から僅か突出するようにした。
【０００９】  前記のプレートのホルダー面に、各種情報もしくは各種情報の検索手段を印刷したシールを貼り付けるようにした。
【００１０】  パチンコ島の膳板に取り付けられていた灰皿を撤去した後に露出する、灰皿の取付穴を塞ぐプレートであり、該プレートは、裏面の外周縁部に一体で区画壁を形成するとともに、
上面の中央部を水平に窪ませてホルダー面を形成し、また、ホルダー面の裏面と、区画壁の下縁の高さを略同一として、区画壁とホルダー面の立ち上がり壁との内側に接着剤の溜部を形成し、ホルダー面の裏面を膳板の上面に接着剤で接着するにあたり、ホルダー面の裏面と膳板の上面の間からはみ出した接着剤が溜部に溜ってプレートの外にはみ出さないようにした。
【００１１】  パチンコ島の膳板に取り付けられている灰皿を塞ぐプレートであり、該プレートは、裏面の外周縁部に一体で区画壁を形成し、該区画壁で、膳板に取り付けられている灰皿を跨いで灰皿を覆い隠し、且つ、プレートの裏面を、灰皿の鍔部上面に接着した。
【考案の効果】
【００１２】  本考案は、上記の構成であり、膳板から撤去した灰皿の取り付け穴や、ビス穴および接着剤の跡、または、膳板から撤去しない灰皿が、この考案のプレートで隠されるとともに、灰皿を両面接着テープで接着するようにした場合は、灰皿の取付穴および取付ビス穴のバリ、もしくは接着跡などの凸部が、両面接着テープの接着面の内部に侵入、または、両面接着テープの弾性によって当接個所のみが持ち上げられることで、当該プレートが、膳板の上面に密着して確実に取り付けられる。
【００１３】  膳板は、パチンコ玉の玉箱を置くことが主な設置の理由であり、一方、パチンコ箱にパチンコ玉が溜ると、店員がこの玉箱を空箱と交換するが、この際に遊技者が邪魔になるので、玉箱を遊技者の左側に置いてから交換することになる。
一方、この膳板の左側に本案のプレートが設置されていると、玉箱が高重量なため膳板面をスライドして移動するにあたり、当該プレートが邪魔になる。
而して、本案ではプレートの角をテーパー面としたので、玉箱の底がプレートのテーパー面に案内されてプレートの上に置くことができ、当該プレートが邪魔になることがない。
【００１４】  プレートの上面に、店内の遊技台の機種や配置、その他店の案内や広告などの情報、もしくは、これらの情報を検索するＱＲコード等の検索手段を印刷するか、もしくはこれらを印刷したシールを貼るようにしたので、ブレートの設置にあたり単なる補修目的以外にあらたな価値を追加でき、遊技者の利便性が向上する。
【００１５】  上記のシールを、接着と剥離が可能な再剥離シールとしたので、シールの交換によって、当該シールによる情報もしくは情報の検索手段の表示を簡易に交換することができる。
【００１６】  プレートは、上面の中央部を窪ませてホルダー面を形成しているので、このホルダー面に飲料カップや飲料缶を載せ置くことで、飲料カップや飲料缶が移動することがなく、移動による転倒が防止されるなど、単なる補修目的以外にあらたな価値が追加される。
また、前記区画壁と立ち上がり壁との内側のホルダー面の裏面に、両面接着テープを貼り付けたので、両面接着テープの貼り付け位置のズレがなく、貼り付け作業が簡易となり、一方、膳板３との接着状態もムラが無く均一となる。
また、区画壁の下縁が、膳板の上面と一致もしくは僅かな隙間を維持して接着されるので施工後の外観が向上する。
【００１７】  また、前記のプレートのホルダー面に、各種情報もしくは各種情報の検索手段を印刷したシールを貼り付けるようにしたので、ホルダー面の立ち上がり壁の内側を目安として貼り付け位置を決めることができて、シールをズレなく簡便に貼ることができる。
また、当該ホルダー面が飲料の置き場所であることを示すマークなどを含む、各種情報もしくは各種情報の検索手段を提供することができ、また、単なる補修目的以外にあらたな価値が追加される。
【００１８】  また、ホルダー面の裏面と、区画壁の下縁の高さを略同一として、区画壁とホルダー面の立ち上がり壁との内側に接着剤の溜部を形成したので、プレートを膳板に接着するにあたり、ホルダー面の裏面と膳板の上面の間からはみ出した接着剤が溜部に溜ってプレートの外にはみ出さないので、接着剤の量加減を厳密に行なう必要がなく作業効率が向上する。
【００１９】  また、プレートの区画壁で、膳板に取り付けられている灰皿を跨ぎ灰皿を覆い隠して、当該プレートを灰皿の鍔部の上面に接着するようにしたので、灰皿を膳板から取り外さなくともプレートを設置することができ、また、これらの取付け工事も簡易となる。
【図面の簡単な説明】
【００２０】
【図１】パチンコ島の正面図。
【図２】灰皿の撤去状態を示す、パチンコ島の膳板の斜視図。
【図３】灰皿の撤去後の膳板の斜視図。
【図４】プレートを取り付けたパチンコ島の膳板の平面図。
【図５】図４のＡ−Ａ線に沿う断面図。
【図６】プレートの他の実施例を示す平面図。
【図７】プレートの他の実施例を示す平面図。
【図８】プレートの他の実施例を示す平面図。
【図９】プレートの他の実施例を示す断面図。
【図１０】プレートの底面図。
【図１１】図６のＢ−Ｂ線に沿うプレートの断面図。
【図１２】プレートの他の実施例を示す断面図。
【図１３】プレートの他の実施例を示す斜視図。
【図１４】プレートの他の実施例を示す斜視図。
【図１５】プレートの他の実施例を示す断面図。
【図１６】プレートの他の実施例を示す裏面図。
【図１７】プレートの他の実施例を示す断面図。
【図１８】プレートの他の実施例を示す断面図。
【考案を実施するための形態】
【００２１】  以下、図１〜図１８の実施形態を参照して本考案を詳説する。
図１は、パチンコ台１が設置されるパチンコ島２の正面を示し、このパチンコ島２の前側には水平な膳板３が設けられている。
上記の膳板３には灰皿４が設けられているが、特に、煙草の吸殻を自動で回収する吸殻回収装置５が設置されている場合、この膳板３には、灰皿４の取り付けにおいて灰皿４の取付穴６が穿設されている。
而して、前記吸殻回収装置５を撤去して、今後同様装置を設置しない場合は、灰皿４も同様に撤去され、この撤去後の膳板３の上面には、図２で示したような灰皿４の取付穴６が露出する。
一方、灰皿４は、底部７に吸殻の落下穴８が形成され、この本体９が取付穴６に嵌入し、本体９の鍔部１０を膳板３の上面に接着等の手段で固定されている。
また、灰皿４の固定が、ネジ１１で鍔部１０のネジ穴１２を介して膳板３に止着されている場合は、図３で示した撤去後において、膳板３の上面にはネジ穴１３が露出する。
また、膳板３の上面には、金属板が設けられているので、この金属板の表面のネジ穴１３や取付穴６にはバリ１４が盛り上がって残り、他方、接着の場合は固化した接着跡１５が凸状に残っている。
この考案は、樹脂や金属などを材質としたプレート１６で、灰皿４の取付穴６およびネジ穴１３などを塞いで、膳板３に接着するものであり、一方、このプレート１６の取付けにおいて、通常は、取付穴６やネジ穴１３のバリ１４もしくは固化した接着跡１５を事前に取り除いて平坦な面としてから取り付けることになる。
【００２２】  図４乃至図１１に示したプレート１６は、前述の取付穴６やネジ穴１３の穴縁のバリ１４もしくは固化した接着跡１５を取り除かなくとも膳板３に取り付けができるようにしている。
このプレート１６は、図５で示したように裏面１７の外周縁部１８に一体で区画壁１９を形成するとともに、プレート１６の裏面１７に両面接着テープ２０を貼り付けている。
両面接着テープ２０を、膳板３との接着面は区画壁１９の下縁と略同一、もしくは、区画壁１９の下縁から僅か突出する厚みとしている。
上記のプレート１６を、膳板３の上面に取り付ける場合、前記の区画壁１９内に取付穴６およびネジ穴１３、もしくは接着跡１５などを覆い隠すようにして両面接着テープ２０で膳板３に接着する。
プレート１６の取り付けにおいて、この裏面１７の両面接着テープ２０は、図１０に示したように裏面１７の外縁個所に接着し、また、図５および図１１に示したように、通常はネジ穴１３と干渉することがないが、図９に示したように両面接着テープ２０の下面がネジ穴１３や接着跡１５と干渉する位置にある場合は、灰皿４の取付穴６やネジ穴１３の穴縁のバリ１４、もしくは接着跡１５などの凸部が、両面接着テープ２０の接着面の内部に侵入するか、または、両面接着テープ２０の弾性によって当該個所のみが持ち上げられ、他の接着面は全体で平坦面が維持された状態で膳板３に取り付けられる。
また、プレート１６は、上記において膳板３の上面に密着して堅固に取り付けられる。
【００２３】  図１１は、プレート１６の外周の角部をテーパー面２１とした例を示している。
前述のように、膳板３の上には玉箱当が載置されているので、この玉箱をプレート１６の上に移動する時には、このテーパー面２１の案内でプレート１６の上に載せることができるので、プレート１６が邪魔になることがない。
【００２４】  図６乃至図９は、プレート１６の表面に各種情報や各種情報の検索手段を印刷するか、もしくはこれらを印刷したシール２２を貼り付けた例を示している。
この各種情報とは、図７に示した店のマークや、図８に示した禁煙などその他広告であり、また、他業種の商品の広告とすることで広告料の獲得ができる。
また、図６は各種情報の検索手段の一例としてＱＲコードを示し、遊技者がＱＲコードを携帯電話で読み取ることで、店内の遊技台の機種や配置、その他新台の入れ替え情報など、多種の情報を提供できる。
図９は、上記のシール２２を接着と剥離ができる再剥離シール２３とした例を示している。
この再剥離シール２３には、プレート１６の設置当初は、図８に示した禁煙マーク等を表示し、この周知徹底後には上述の各種の情報もしくは各種情報の検索手段として利用することで、店のインフォメーションボードとして継続した利用が可能となる。
【００２５】  図１３乃至図１８は、プレート１６の上面の中央部を水平に窪ませて、飲料カップや飲料缶の転倒を防止するホルダー面２４を形成した例を示している。
プレート１６の設置後に、このホルダー面２４に飲料カップ２５や飲料缶２６を載置ことで、この飲料カップ２５や飲料缶２６は、移動が制限さるので転倒が未然に防止される。
また、図１５で示したように前記区画壁１９とホルダー面２４の立ち上がり壁２７との内側におけるプレート１６の裏面に、両面接着テープ２０を貼り付けるとともに、この両面接着テープ２０は、膳板３と両面接着テープ２０の下の接着面が区画壁１９の下縁と略同一、もしくは、区画壁１９の下縁から僅か突出する厚みとしている。
上記において、プレート１６の裏面に画面接着テープ２０を貼り付けるにあたり、図１６に示したようにこの貼り付け位置が事前に決まっているので貼り付け位置の誤認がなく貼り付け作業が簡易となり、一方、膳板３との接着状態もムラが無く均一に取り付けることができる。
また、区画壁１９の下端と膳板３の上面とが一致もしくは僅かな隙間を維持して接着することができ施工後の外観も向上する。
また、図１３はホルダー面２４にシール２２を貼る例を示しているが、ホルダー面２４の立ち上がり壁２７を目安としてシール２４を貼る位置を決めることができるので、シール２４の位置ズレがなく簡易に貼ることができる。
【００２６】  上述のプレート１６は、樹脂の成形以外に金属板のプレス加工によってホルダー面２４を形成するものであるが、図１８では、金属板もしくは樹脂板を積層形成した例を示している。
この実施例は、基板２８の上面にドーナツ状板２９を接着して、ホルダー面２４を形成し、当該ホルダー面２４の形成でこのプレート１６は上記同様にして利用できる。
【００２７】  図１７は、プレート１６を接着剤で膳板３に接着する例を示している。
このプレート１６は、裏面の外周縁部に一体で区画壁１９を形成するとともに、上面の中央部を水平に窪ませてホルダー面２４を形成し、また、ホルダー面２４の裏面と、区画壁１９の下縁の高さを略同一として、区画壁１９とホルダー面２４の立ち上がり壁２７との内側に接着剤の溜部３０を形成している。
一方、プレート１６の上記の接着においては、ホルダー面２４の下面を膳板３に接着するが、接着剤の多寡によって接着のムラが生じるので、接着剤は多少多目とすることになる。
而して、接着剤が過大であった場合は、ホルダー面２４の下面と膳板３とで押し出された接着剤は上記の溜部３０内に溜るのでプレートの外部にはみ出すことなく、また、ホルダー面２４の下面と膳板３との接着剤の量も均一となり、接着ムラのない状態で接着することができる。
【００２８】  また、図１２は、灰皿４を取り除くことなく、プレート１６を接着する例を示している。
このプレート１６は、裏面の外周縁部に一体で区画壁１９を形成している。
このプレート１６の取り付けにおいては、区画壁１９で灰皿４を跨いで覆い隠し、このプレート１６の裏面を、灰皿の４の鍔部１０に接着する。
上記のプレート１６の接着は、両面接着テープ２０もしくは接着剤で接着する。
【符号の説明】
【００２９】  １・・・パチンコ台
２・・・パチンコ島
３・・・膳板
４・・・灰皿
６・・・取付穴
１３・・・ネジ穴
１４・・・バリ
１５・・・接着跡
１６・・・プレート
１７・・・裏面
１８・・・外周縁部
１９・・・区画壁
２０・・・両面接着テープ
２１・・・テーパー面
２２・・・シール
２３・・・再剥離シール
２４・・・ホルダー面
２５・・・飲料カップ
２６・・・飲料缶
２７・・・立ち上がり壁
３０・・・溜部
【図１】
0003225807.tif 000003
【図２】
0003225807.tif 000004
【図３】
0003225807.tif 000005
【図４】
0003225807.tif 000006
【図５】
0003225807.tif 000007
【図６】
0003225807.tif 000008
【図７】
0003225807.tif 000009
【図８】
0003225807.tif 000010
【図９】
0003225807.tif 000011
【図１０】
0003225807.tif 000012
【図１１】
0003225807.tif 000013
【図１２】
0003225807.tif 000014
【図１３】
0003225807.tif 000015
【図１４】
0003225807.tif 000016
【図１５】
0003225807.tif 000017
【図１６】
0003225807.tif 000018
【図１７】
0003225807.tif 000019
【図１８】
0003225807.tif 000020